【手続補正書】
【提出日】平成18年10月12日(2006.10.12)
【手続補正１】
【補正対象書類名】特許請求の範囲
【補正対象項目名】全文
【補正方法】変更
【補正の内容】
【特許請求の範囲】
【請求項１】
イメージデータ内の指定された認識領域から認識すべき構造物が含まれる領域を特定する画像認識装置であって、
前記認識領域内の垂直及び水平方向のラインの黒画素数を取得する黒画素数取得手段と、
前記取得された黒画素数が閾値以上であるラインを枠線として抽出する枠線抽出手段と、
前記枠線抽出手段によりいずれの方向の枠線が抽出されたかを判定する判定手段とを備え、
前記判定手段により、垂直又は水平方向のいずれか一方向の枠線が抽出されたと判定された場合、前記枠線抽出手段は、前記認識領域から前記抽出された枠線の外側領域を除外した領域内から、他方向の枠線を抽出することを特徴とする画像認識装置。
【請求項２】
前記枠線抽出手段は、近接するライン相互の前記黒画素数に基づいて抽出する枠線を決定することを特徴とする請求項１記載の画像認識装置。
【請求項３】
前記枠線抽出手段は、前記認識領域の中心から上下左右に位置する領域毎に抽出する枠線を決定することを特徴とする請求項１又は２記載の画像認識装置。
【請求項４】
前記認識すべき構造物以外の周辺構造物を抽出する周辺構造物抽出手段をさらに備え、
前記周辺構造物抽出手段は、前記認識領域の中心と前記構造物の距離により前記周辺構造物を抽出することを特徴とする請求項１乃至３のいずれか１項に記載の画像認識装置。
【請求項５】
黒画素数取得手段と、枠線抽出手段と、判定手段とを備える情報処理装置における、イメージデータ内の指定された認識領域から認識すべき構造物が含まれる領域を特定する画像認識方法であって、
前記黒画素数取得手段が、前記認識領域内の垂直及び水平方向のラインの黒画素数を取得する黒画素数取得ステップと、
前記枠線抽出手段が、前記黒画素数取得ステップにより取得された黒画素数が閾値以上であるラインを枠線として抽出する枠線抽出ステップと、
前記判定手段が、前記枠線抽出手段によりいずれの方向の枠線が抽出されたかを判定する判定ステップを備え、
前記判定ステップにより、垂直又は水平方向のいずれか一方向の枠線が抽出されたと判定された場合、前記枠線抽出手段は、前記認識領域から前記抽出された枠線の外側領域を除外した領域内から、他方向の枠線を抽出することを特徴とする画像認識方法。
【請求項６】
請求項５記載の画像認識方法を情報処理装置に実行させるためのプログラム。
【請求項７】
請求項５記載の画像認識方法を情報処理装置に実行させるためのプログラムを記録したコンピュータ読み取り可能な記録媒体。
【手続補正２】
【補正対象書類名】明細書
【補正対象項目名】発明の名称
【補正方法】変更
【補正の内容】
【発明の名称】画像認識装置及び方法、プログラム、並びに記録媒体
【手続補正３】
【補正対象書類名】明細書
【補正対象項目名】０００１
【補正方法】変更
【補正の内容】
【０００１】
本発明は、画像認識装置及び方法、プログラム、並びに記録媒体に関し、特に、指定された認識領域に対して認識処理を行う画像認識装置及び方法、プログラム、並びに記録媒体に関する。
【手続補正４】
【補正対象書類名】明細書
【補正対象項目名】００１１
【補正方法】変更
【補正の内容】
【００１１】
本発明の目的は、周囲の枠線や罫線、文字等を含めて指定された認識領域から認識すべき構造物のみを認識することができる画像認識装置及び方法、プログラム、並びに記録媒体を提供することにある。
【手続補正５】
【補正対象書類名】明細書
【補正対象項目名】００１２
【補正方法】変更
【補正の内容】
【００１２】
上述の目的を達成するために、請求項１記載の画像認識装置は、イメージデータ内の指定された認識領域から認識すべき構造物が含まれる領域を特定する画像認識装置であって、前記認識領域内の垂直及び水平方向のラインの黒画素数を取得する黒画素数取得手段と、前記取得された黒画素数が閾値以上であるラインを枠線として抽出する枠線抽出手段と、前記枠線抽出手段によりいずれの方向の枠線が抽出されたかを判定する判定手段とを備え、前記判定手段により、垂直又は水平方向のいずれか一方向の枠線が抽出されたと判定された場合、前記枠線抽出手段は、前記認識領域から前記抽出された枠線の外側領域を除外した領域内から、他方向の枠線を抽出することを特徴とする。
【手続補正６】
【補正対象書類名】明細書
【補正対象項目名】００１３
【補正方法】変更
【補正の内容】
【００１３】
請求項２記載の画像認識装置は、請求項１記載の画像認識装置において、前記枠線抽出手段は、近接するライン相互の前記黒画素数に基づいて抽出する枠線を決定することを特徴とする。
【手続補正７】
【補正対象書類名】明細書
【補正対象項目名】００１４
【補正方法】変更
【補正の内容】
【００１４】
請求項３記載の画像認識装置は、請求項１又は２記載の画像認識装置において、前記枠線抽出手段は、前記認識領域の中心から上下左右に位置する領域毎に抽出する枠線を決定することを特徴とする。
【手続補正８】
【補正対象書類名】明細書
【補正対象項目名】００１５
【補正方法】変更
【補正の内容】
【００１５】
請求項４記載の画像認識装置は、請求項１乃至３のいずれか１項に記載の画像認識装置において、前記認識すべき構造物以外の周辺構造物を抽出する周辺構造物抽出手段をさらに備え、前記周辺構造物抽出手段は、前記認識領域の中心と前記構造物の距離により前記周辺構造物を抽出することを特徴とする。
【手続補正９】
【補正対象書類名】明細書
【補正対象項目名】００１６
【補正方法】削除
【補正の内容】
【手続補正１０】
【補正対象書類名】明細書
【補正対象項目名】００１７
【補正方法】削除
【補正の内容】
【手続補正１１】
【補正対象書類名】明細書
【補正対象項目名】００１８
【補正方法】削除
【補正の内容】
【手続補正１２】
【補正対象書類名】明細書
【補正対象項目名】００１９
【補正方法】変更
【補正の内容】
【００１９】
上述の目的を達成するために、請求項５記載の画像認識方法は、黒画素数取得手段と、枠線抽出手段と、判定手段とを備える情報処理装置における、イメージデータ内の指定された認識領域から認識すべき構造物が含まれる領域を特定する画像認識方法であって、前記黒画素数取得手段が、前記認識領域内の垂直及び水平方向のラインの黒画素数を取得する黒画素数取得ステップと、前記枠線抽出手段が、前記黒画素数取得ステップにより取得された黒画素数が閾値以上であるラインを枠線として抽出する枠線抽出ステップと、前記判定手段が、前記枠線抽出手段によりいずれの方向の枠線が抽出されたかを判定する判定ステップを備え、前記判定ステップにより、垂直又は水平方向のいずれか一方向の枠線が抽出されたと判定された場合、前記枠線抽出手段は、前記認識領域から前記抽出された枠線の外側領域を除外した領域内から、他方向の枠線を抽出することを特徴とする。
【手続補正１３】
【補正対象書類名】明細書
【補正対象項目名】００２０
【補正方法】削除
【補正の内容】
【手続補正１４】
【補正対象書類名】明細書
【補正対象項目名】００２１
【補正方法】削除
【補正の内容】
【手続補正１５】
【補正対象書類名】明細書
【補正対象項目名】００２２
【補正方法】削除
【補正の内容】
【手続補正１６】
【補正対象書類名】明細書
【補正対象項目名】００２３
【補正方法】削除
【補正の内容】
【手続補正１７】
【補正対象書類名】明細書
【補正対象項目名】００２４
【補正方法】削除
【補正の内容】
【手続補正１８】
【補正対象書類名】明細書
【補正対象項目名】００２５
【補正方法】削除
【補正の内容】
【手続補正１９】
【補正対象書類名】明細書
【補正対象項目名】００２６
【補正方法】削除
【補正の内容】
【手続補正２０】
【補正対象書類名】明細書
【補正対象項目名】００２７
【補正方法】変更
【補正の内容】
【００２７】
請求項１記載の画像認識装置、請求項５記載の画像認識方法、請求項６記載のプログラム、及び請求項７記載の記録媒体によれば、認識領域内の垂直及び水平方向のラインの黒画素数を取得し、取得した黒画素数が閾値以上であるラインを枠線として抽出し、いずれの方向の枠線が抽出されたかを判定し、垂直又は水平方向のいずれか一方向の枠線が抽出されたと判定した場合、認識領域から抽出された枠線の外側領域を除外した領域内から、他方向の枠線を抽出するので、周囲の枠線や罫線、文字等を含めて指定された認識領域から認識すべき構造物のみを認識することができる。
【手続補正２１】
【補正対象書類名】明細書
【補正対象項目名】００２８
【補正方法】削除
【補正の内容】
【手続補正２２】
【補正対象書類名】明細書
【補正対象項目名】００２９
【補正方法】削除
【補正の内容】
【手続補正２３】
【補正対象書類名】明細書
【補正対象項目名】００３０
【補正方法】削除
【補正の内容】
【手続補正２４】
【補正対象書類名】明細書
【補正対象項目名】００３１
【補正方法】削除
【補正の内容】
【手続補正２５】
【補正対象書類名】明細書
【補正対象項目名】００３２
【補正方法】削除
【補正の内容】
【手続補正２６】
【補正対象書類名】明細書
【補正対象項目名】００３３
【補正方法】削除
【補正の内容】